(57)【要約】      （修正有）【課題】立体感に溢れる外観を呈する時計用文字板を提供すること、また、前記時計用文字板を備えた時計を提供する。【解決手段】時計用文字板は１、平面視した際に複数個のマイクロレンズ１１１が規則的に配置されたマイクロレンズ層と、複数の線状の模様１２１が設けられた装飾層とを備え、平面視した際に、前記マイクロレンズ層と前記装飾層とが重なり合うものであり、前記装飾層は、前記線状の模様として、その長手方向に沿って、隣り合う他の線状の模様とのピッチが変化するものを備えていることを特徴とする。【選択図】図１
2013061191.tif 000002
【特許請求の範囲】
【請求項１】
平面視した際に複数個のマイクロレンズが規則的に配置されたマイクロレンズ層と、
複数の線状の模様が設けられた装飾層とを備え、
平面視した際に、前記マイクロレンズ層と前記装飾層とが重なり合うものであり、
前記装飾層は、前記線状の模様として、当該線状の模様の長手方向に沿って、隣り合う他の線状の模様とのピッチが変化するものを備えていることを特徴とする時計用文字板。
【請求項２】
前記装飾層は、互いに交差・接触することのない複数の前記線状の模様からなる第１の線群と、互いに交差・接触することのない複数の前記線状の模様からなる第２の線群とを備えるものであり、
前記第１の線群を構成する少なくとも１つの線状の模様と、前記第２の線群を構成する少なくとも１つの線状の模様とが交差するものである請求項１に記載の時計用文字板。
【請求項３】
前記装飾層は、前記線状の模様として、当該線状の模様の単位長さあたりの前記ピッチの変化率が一定でないものを備えている請求項１または２に記載の時計用文字板。
【請求項４】
時計用文字板を平面視した際に隣り合う前記マイクロレンズの中心を直線で結んだ場合に、当該直線により複数個の三角形が規則的に配置されたものとなる請求項１ないし３のいずれかに記載の時計用文字板。
【請求項５】
前記三角形は、正三角形である請求項４に記載の時計用文字板。
【請求項６】
時計用文字板を平面視した際に隣り合う前記マイクロレンズの中心を直線で結んだ場合に、当該直線により複数個の四角形が規則的に配置されたものとなる請求項１ないし５のいずれかに記載の時計用文字板。
【請求項７】
前記四角形は、正方形である請求項６に記載の時計用文字板。
【請求項８】
請求項１ないし７のいずれかに記載の時計用文字板を備えたことを特徴とする時計。
【発明の詳細な説明】
【技術分野】
【０００１】
本発明は、時計用文字板および時計に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきたが、従来の時計用文字板では、表現することのできる外観の範囲が限られており、需要者のニーズに十分に対応することができなかった。
【０００３】
例えば、立体感のある外観を呈する文字板を備えた時計に対するニーズは大きく、模様等のパターンと透明塗膜とを交互に複数形成して積層化した時計用文字板が提案されている（特許文献１参照）。
しかしながら、このような時計用文字板では、時計用文字板の厚み以上の立体感を表現することができず、また、厚さの制限から、時計用文字板自体の厚さを極端に大きくすることも困難であるため、上記のようなニーズに十分に応えることができなかった。特に、腕時計のような携帯時計に適用される文字板では、時計全体としての厚みについての制約が大きく、立体感に溢れた外観の実現が極めて困難であった。
【先行技術文献】
【特許文献】
【０００４】
【特許文献１】特開平２−３０６１８８号公報
【発明の概要】
【発明が解決しようとする課題】
【０００５】
本発明の目的は、立体感に溢れる外観を呈する時計用文字板を提供すること、また、前記時計用文字板を備えた時計を提供することにある。
【課題を解決するための手段】
【０００６】
このような目的は下記の本発明により達成される。
本発明の時計用文字板は、平面視した際に複数個のマイクロレンズが規則的に配置されたマイクロレンズ層と、
複数の線状の模様が設けられた装飾層とを備え、
平面視した際に、前記マイクロレンズ層と前記装飾層とが重なり合うものであり、
前記装飾層は、前記線状の模様として、当該線状の模様の長手方向に沿って、隣り合う他の線状の模様とのピッチが変化するものを備えていることを特徴とする。
これにより、立体感に溢れる外観を呈する時計用文字板を提供することができる。
【０００７】
本発明の時計用文字板は、前記装飾層は、互いに交差・接触することのない複数の前記線状の模様からなる第１の線群と、互いに交差・接触することのない複数の前記線状の模様からなる第２の線群とを備えるものであり、
前記第１の線群を構成する少なくとも１つの線状の模様と、前記第２の線群を構成する少なくとも１つの線状の模様とが交差するものであることが好ましい。
これにより、時計用文字板の立体感を特に優れたものとすることができる。また、各種成形方法や機械加工等では表現することが困難であった複雑な凹凸形状の外観（例えば、地形図のような外観）を好適に表現することができる。
【０００８】
本発明の時計用文字板では、前記装飾層は、前記線状の模様として、当該線状の模様の単位長さあたりの前記ピッチの変化率が一定でないものを備えていることが好ましい。
これにより、時計用文字板の立体感を特に優れたものとすることができる。また、各種成形方法や機械加工等では表現することが困難であった複雑な凹凸形状の外観（例えば、地形図のような外観）を好適に表現することができる。
【０００９】
本発明の時計用文字板では、時計用文字板を平面視した際に隣り合う前記マイクロレンズの中心を直線で結んだ場合に、当該直線により複数個の三角形が規則的に配置されたものとなることが好ましい。
これにより、時計用文字板の立体感・美的外観を特に優れたものとすることができる。
本発明の時計用文字板では、前記三角形は、正三角形であることが好ましい。
これにより、時計用文字板の立体感・美的外観をさらに優れたものとすることができる。
【００１０】
本発明の時計用文字板では、時計用文字板を平面視した際に隣り合う前記マイクロレンズの中心を直線で結んだ場合に、当該直線により複数個の四角形が規則的に配置されたものとなることが好ましい。
これにより、時計用文字板の立体感・美的外観を特に優れたものとすることができる。
本発明の時計用文字板では、前記四角形は、正方形であることが好ましい。
これにより、時計用文字板の立体感・美的外観をさらに優れたものとすることができる。
【００１１】
本発明の時計は、本発明の時計用文字板を備えたことを特徴とする。
これにより、立体感に溢れる外観を呈する時計用文字板を備えた時計を提供することができる。
本発明によれば、立体感に溢れる外観を呈する時計用文字板を提供すること、また、前記時計用文字板を備えた時計を提供することができる。
【図面の簡単な説明】
【００１２】
【図１】本発明の時計用文字板の第１実施形態を示す平面図である。
【図２】図１に示す時計用文字板の断面図である。
【図３】本発明の時計用文字板の第２実施形態を示す平面図である。
【図４】本発明の時計（携帯時計）の好適な実施形態を示す部分断面図である。
【発明を実施するための形態】
【００１３】
以下、本発明の好適な実施形態について、添付図面を参照しつつ説明する。
まず、本発明の時計用文字板の好適な実施形態について説明する。
＜時計用文字板＞
（第１実施形態）
図１は、本発明の時計用文字板の第１実施形態を示す平面図、図２は、図１に示す時計用文字板の断面図である。なお、本明細書で参照する図面は、構成の一部を誇張して示したものであり、実際の寸法等を正確に反映したものではない。
【００１４】
図に示すように、時計用文字板１は、マイクロレンズ層１１と、装飾層１２とを備えている。マイクロレンズ層１１は、複数個のマイクロレンズ１１１を備えるものであり、当該マイクロレンズ１１１は、時計用文字板１（マイクロレンズ層１１）を平面視した際に規則的に配置されたものである。装飾層１２は、複数の線状の模様（線状模様）１２１を有するものである。そして、時計用文字板１を平面視した際に、マイクロレンズ層１１と装飾層１２とが重なり合うものである。さらに、装飾層１２は、線状の模様１２１として、その長手方向に沿って、隣り合う他の線状の模様１２１とのピッチが変化するものを備えている。
【００１５】
時計用文字板の構成をこのようなものとすることにより、光の干渉（モアレ）を視覚的に使用し、立体感に溢れる外観を呈する時計用文字板を提供することができること、特に、観察者の錯覚を利用するにより、時計用文字板の厚みを、現実の厚み以上のものとして、観察者に認識させることができる時計用文字板を提供することができることを、本発明者は鋭意研究の結果見出した。また、また、本発明により表現される凹凸模様自体の立体感を、現実の時計用文字板の厚み以上のものとして、観察者に認識させることができる。
【００１６】
また、圧縮成形、射出成形等の成形方法を用いて、凹凸を有する時計用文字板を製造する場合、製造すべき時計用文字板が複雑な凹凸形状を有するものであると、以下のような問題があった。すなわち、成形された時計用文字板を成形型から剥離するのが困難となり、時計用文字板の生産性が著しく低下する。また、剥離時に時計用文字板に欠陥等が生じ易く、歩留まりが著しく低下する。また、切削等の機械加工を施して凹凸を有する時計用文字板を製造する場合は、時計用文字板の生産性がさらに低下するという問題があった。これに対し、本発明によれば、複雑な凹凸形状を有するものと観察者に認識させることができる時計用文字板を提供することができる。
【００１７】
なお、本発明において、線状の模様のピッチとは、当該線状の模様上の点（幅方向の中心線上を通る点）について、その法線方向での隣り合う線状の模様の幅方向の中心線との距離のことをいう。
時計用文字板１は、マイクロレンズ層１１が装飾層よりも観察者側（外表面側）に配されるようにして用いられるものである。
【００１８】
［マイクロレンズ層］
マイクロレンズ層１１は、複数個のマイクロレンズ１１１が規則的に配置されたものである。
特に、本実施形態では、時計用文字板１を平面視した際に隣り合うマイクロレンズ１１１の中心を直線で結んだ場合に、当該直線により複数個の三角形が規則的に配置されたものとなるように、複数個のマイクロレンズ１１１が配置されている。これにより、時計用文字板１の立体感・美的外観を特に優れたものとすることができる。
【００１９】
また、図示の構成では、前記三角形が正三角形である。これにより、時計用文字板１の立体感・美的外観をさらに優れたものとすることができる。
マイクロレンズ１１１の焦点距離は、１００μｍ以上１０００μｍ以下であるのが好ましく、１５０μｍ以上５００μｍ以下であるのがより好ましい。これにより、時計用文字板１の美的外観を特に優れたものとすることができる。なお、焦点は、図中にＰで示した。
【００２０】
マイクロレンズ１１１のピッチ（時計用文字板１を平面視した際のピッチ）ＰＭＬは、５０μｍ以上５００μｍ以下であるのが好ましく、６０μｍ以上３００μｍ以下であるのがより好ましい。これにより、時計用文字板１の美的外観を特に優れたものとすることができる。なお、本発明において、マイクロレンズのピッチとは、隣り合うマイクロレンズについて、時計用文字板を平面視した際のそれぞれの中心点を結ぶ距離のことをいう。
【００２１】
マイクロレンズ層１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、以下に述べるようにして求められる値を採用することができる。すなわち、光源として、白色蛍光灯（東芝社製、検査用蛍光灯  ＦＬ２０Ｓ−Ｄ６５）を用い、１０００ルクス下で、測定対象の部材（または時計用文字板）と同一形状のソーラーセル（太陽電池）のみで発電した際の電流値（Ｘ）を求める。また、前記ソーラーセルの光源側の面に測定対象である部材（または時計用文字板）を載せた以外は、前記と同一の状態で発電した際の電流値（Ｙ）を求める。そして、上記のようにして求められたＹのＸに対する比率（（Ｙ／Ｘ）×１００［％］）を、光の透過率として採用することができる。
【００２２】
以下、本明細書中において、特に断りのない限り、「光の透過率」とは、このような条件で求められる値のことを指す。
マイクロレンズ層１１を構成する材料としては、例えば、各種プラスチック材料、各種ガラス材料等が挙げられるが、マイクロレンズ層１１は、主としてプラスチック材料で構成されたものであるのが好ましい。プラスチック材料は、一般に、成形性（成形の自由度）に優れており、種々の形状の時計用文字板１の製造に好適に適用することができる。また、マイクロレンズ層１１がプラスチック材料で構成されたものであると、時計用文字板１の製造コスト低減に有利である。また、プラスチック材料は、一般に、光（可視光）の透過性に優れるとともに、電波の透過性にも優れているため、マイクロレンズ層１１がプラスチック材料で構成されたものであると、時計用文字板１を、ソーラー時計（太陽電池を備えた時計）、電波時計に好適に適用することができる。以下の説明では、マイクロレンズ層１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２３】
マイクロレンズ層１１を構成するプラスチック材料としては、各種熱可塑性樹脂、各種熱硬化性樹脂等が挙げられる。これらの具体例としては、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂、エポキシ系樹脂、ウレタン系樹脂等、またはこれらを主とする共重合体、ブレンド体、ポリマーアロイ等が挙げられる。そして、これらの材料は、１種または２種以上を組み合わせて（例えば、ブレンド樹脂、ポリマーアロイ、積層体等として）用いることができる。特に、マイクロレンズ層１１は、主として、ポリカーボネートで構成されたものであるのが好ましい。これにより、マイクロレンズ１１１をより透明性の高いものとすることができるとともに、マイクロレンズ１１１の屈折率を最適なものとすることができるため、時計用文字板１全体としての美的外観を特に優れたものとすることができる。また、時計用文字板１全体としての強度を特に優れたものとすることができるとともに、マイクロレンズ１１１の寸法精度をより高いものとすることができ、また、マイクロレンズ１１１の不本意な変形等をより確実に防止することができるため、時計用文字板１の信頼性を特に優れたものとすることができる。また、マイクロレンズ層１１が、アクリル系樹脂、ポリエステル系樹脂、エポキシ系樹脂、ウレタン系樹脂で構成されたものである場合、印刷法（特に、インクジェット法のような液滴吐出法）によるマイクロレンズ１１１の形成をより好適に行うことができる。
【００２４】
なお、マイクロレンズ層１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、マイクロレンズ層１１が着色剤を含む材料で構成されたものであると、時計用文字板１の色のバリエーションを広げることができる。
【００２５】
マイクロレンズ層１１は、各部位でその組成が実質的に均一な組成を有するものであってもよいし、部位によって組成の異なるものであってもよい。
マイクロレンズ層１１の屈折率（絶対屈折率）は、１．５００以上１．６５０以下であるのが好ましく、１．５５０以上１．６００以下であるのがより好ましい。これにより、時計用文字板１の美的外観を特に優れたものとすることができる。
【００２６】
なお、図示の構成では、マイクロレンズ１１１は、略半球状をなすものであり、平面視した際の形状が円形をなす球面レンズであるが、マイクロレンズ１１１の形状は、特に限定されるものでなく、例えば、平面視した際の形状が俵型形状（略楕円形状、長円形状）や、略三角形状、略四角形状、略六角形状等をなすものであってもよい。
また、マイクロレンズ基板（マイクロレンズ層）１１の形状、大きさは、特に限定されず、通常、製造すべき時計用文字板１の形状、大きさに基づいて決定される。なお、図示の構成では、マイクロレンズ基板１１は、平板状をなすものであるが、例えば、湾曲板状等をなすものであってもよい。
【００２７】
また、マイクロレンズ基板１１は、いかなる方法で成形されたものであってもよいが、マイクロレンズ基板１１の製造方法としては、例えば、圧縮成形、押出成形、射出成形、光造形、２Ｐ法等が挙げられる。また、マイクロレンズ基板１１は、例えば、マイクロレンズ１１１を有していない板状部材に、インクジェット法等の液滴吐出法により、マイクロレンズ１１１の構成材料を含む液状材料を吐出することにより、マイクロレンズ１１１を形成して得られたものであってもよい。また、マイクロレンズ１１１は、オフセット印刷、グラビア印刷等の各種印刷法を用いて形成されたものであってもよい。印刷法を用いてマイクロレンズを形成した場合、マイクロレンズ基板１１の生産コストを抑制することができる点で有利である。なお、本発明では、マイクロレンズ基板が有するマイクロレンズのうち少なくとも一部は平面視した際の形状が円形状のものでなくてもよく、例えば、楕円形状をなすものであってもよい。また、複数のマイクロレンズは、それぞれが独立したものであっても、隣り合うもの同士がつながったものであってもよい。
【００２８】
［装飾層］
装飾層１２は、複数の線状の模様１２１を有するものである。そして、装飾層１２は、線状の模様１２１として、その長手方向に沿って、隣り合う他の線状の模様とのピッチが変化するものを備えている。これにより、光の干渉（モアレ）を視覚的に使用し、立体感に溢れる外観を呈する時計用文字板を提供することができることを、本発明者は鋭意研究の結果見出した。特に、観察者の錯覚を利用するにより、時計用文字板の厚みを、現実の厚み以上のものとして、観察者に認識させることができる時計用文字板を提供することができることを、本発明者は鋭意研究の結果見出した。
【００２９】
特に、本実施形態では、複数の線状の模様１２１、特に、全ての線状の模様１２１が当該条件を満足している。これにより、時計用文字板１の立体感を特に優れたものとすることができるとともに、例えば、波紋形状のような多数の凹凸を有するような複雑な立体形状も好適に表現することができる。
装飾層１２は、線状の模様１２１として、その単位長さあたりのピッチの変化率が一定でないものを備えているのが好ましい。これにより、時計用文字板１の立体感を特に優れたものとすることができる。また、各種成形方法や機械加工等では表現することが困難であった複雑な凹凸形状の外観（例えば、標高差のある地形を三次元的に表示する地形図のような外観）を好適に表現することができる。
【００３０】
また、線状の模様１２１の単位長さ（１ｃｍ）あたりの前記ピッチの変化量は、０．４μｍ以上１６μｍ以下であるのが好ましく、０．５μｍ以上１０μｍ以下であるのがより好ましい。すなわち、線状の模様１２１の単位長さ（１ｃｍ）あたりの前記ピッチの変化率は、０．２０％以上４．５％以下であるのが好ましく、０．２５％以上２．８％以下であるのがより好ましい。これにより、時計用文字板１の外観をより立体感に溢れるものとすることができ、時計用文字板１の美的外観をさらに優れたものとすることができる。
【００３１】
隣り合う線状の模様１２１のピッチＰＲは、４０μｍ以上５５０μｍ以下であるのが好ましく、５０μｍ以上３５０μｍ以下であるのがより好ましい。これにより、時計用文字板１の美的外観を特に優れたものとすることができる。
マイクロレンズ１１１のピッチをＰＭＬ［μｍ］、隣り合う線状の模様１２１のピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計用文字板１の外観をより立体感に溢れるものとすることができ、時計用文字板１の美的外観を特に優れたものとすることができる。
【００３２】
なお、隣り合う線状の模様１２１のピッチの方がマイクロレンズ１１１のピッチよりも小さい場合には模様が沈んで見え、一方、隣り合う線状の模様１２１のピッチの方がマイクロレンズ１１１のピッチよりも大きい場合には模様が浮かんで見える。
マイクロレンズ１１１のレンズ面（図２中の上側の面）から装飾層１２の表面（図２中の上側の面）までの距離は、１００μｍ以上１０００μｍ以下であるのが好ましく、１５０μｍ以上５００μｍ以下であるのがより好ましい。これにより、時計用文字板１の外観をより立体感に溢れるものとすることができ、時計用文字板１の美的外観を特に優れたものとすることができる。
【００３３】
特に、本実施形態のように、時計用文字板１を平面視した際に隣り合うマイクロレンズ１１１の中心を直線で結んだ場合に、当該直線により複数個の三角形が規則的に配置されたものとなるように、複数個のマイクロレンズ１１１が配置されている場合、マイクロレンズ１１１のレンズ面（図２中の上側の面）から装飾層１２の表面（図２中の上側の面）までの距離は、１５０μｍ以上５００μｍ以下であるのが好ましく、１５０μｍ以上３００μｍ以下であるのがより好ましい。これにより、時計用文字板１の外観をより立体感に溢れるものとすることができ、時計用文字板１の美的外観を特に優れたものとすることができる。
【００３４】
マイクロレンズ１１１の焦点距離をＬ０［μｍ］、マイクロレンズ１１１のレンズ面から装飾層１２の表面までの距離をＬ１［μｍ］としたとき、０．５≦Ｌ１／Ｌ０≦１．５の関係を満足するのが好ましく、０．６≦Ｌ１／Ｌ０≦１．４の関係を満足するのがより好ましい。これにより、時計用文字板１の外観をより立体感に溢れるものとすることができ、時計用文字板１の美的外観を特に優れたものとすることができる。
また、装飾層１２の形状、大きさは、特に限定されず、通常、製造すべき時計用文字板１の形状、大きさに基づいて決定される。なお、図示の構成では、装飾層１２は、平板状をなすものであるが、例えば、湾曲板状等をなすものであってもよい。
【００３５】
時計用文字板１は、時計用文字板１を平面視した際に、時字が設けられていない部分の少なくとも一部に、線状の模様１２１およびマイクロレンズ１１１が設けられており、時字が設けられている部分には、線状の模様１２１および／またはマイクロレンズ１１１が設けられていないものであるのが好ましい。これにより、時刻の視認性を特に優れたものとしつつ、時計用文字板１の外観を特に優れたものとすることができ、実用品としての実用性と、装飾品としての美的外観とを、より高いレベルで両立することができる。
【００３６】
また、図示の構成では、マイクロレンズ層（マイクロレンズ基板）１１と装飾層１２とが密着している。これにより、マイクロレンズ１１１と線状の模様１２１との距離を一定に保つことができ、時計用文字板１の外観を安定的に優れたものとすることができる。
線状の模様１２１は、いかなる材料で構成されたものであってもよく、例えば、各種顔料、各種染料等の着色剤や、金属材料を含む材料で構成されたものであってもよい。また、線状の模様１２１は、樹脂材料を含む材料で構成されたものであってもよい。これにより、線状の模様１２１のマイクロレンズ基板１１に対する密着性を特に優れたものとすることができる。
【００３７】
線状の模様１２１は、いかなる方法で形成されたものであってもよく、例えば、スクリーン印刷法、グラビア印刷法、タコ印刷法、インクジェット法等の各種印刷法を用いて形成されたものであってもよい。これにより、マイクロレンズ層（マイクロレンズ基板）１１と線状の模様１２１とをより確実に密着させることができ、その結果、より確実に、マイクロレンズ１１１と装飾層１２（模様）との距離を一定に保つことができ、時計用文字板１の外観を安定的に優れたものとすることができる。
【００３８】
各種印刷法の中でも、インクジェット法が特に好ましい。インクジェット法を適用することにより、上述した効果がより顕著に発揮されるとともに、微細な模様であっても、好適に形成することができる。
また、基板上に形成された膜に対してエッチング処理を施し、残存した部分を、模様としてもよい。
【００３９】
また、時計用文字板１は、携帯時計（例えば、腕時計）に適用されるものであるのが好ましい。携帯時計は、各種時計の中でも、特に、薄型化が要求されるものであるが、本発明によれば、時計用文字板の厚さを十分に薄いものとしつつ、時計用文字板の立体感を十分に優れたものとすることができる。すなわち、本発明の時計用文字板が携帯時計に適用された場合、本発明の効果がより顕著に発揮される。
【００４０】
（第２実施形態）
図３は、本発明の時計用文字板の第２実施形態を示す平面図である。以下、第２実施形態の時計用文字板について、前記実施形態との相違点を中心に説明し、同様の事項の説明は省略する。
本実施形態の時計用文字板１では、時計用文字板１を平面視した際に隣り合うマイクロレンズ１１１の中心を直線で結んだ場合に、当該直線により複数個の四角形が規則的に配置されたものとなっている。このように、本発明においては、マイクロレンズの配置パターンは、第１実施形態で説明したようなものに限定されず、本実施形態のような配置パターンであっても、前述したのと同様な効果が得られる。また、本実施形態のような配置パターンであると、時計用文字板１の立体感・美的外観を特に優れたものとすることができる。
【００４１】
また、図示の構成では、前記四角形が正方形である。これにより、時計用文字板１の立体感・美的外観をさらに優れたものとすることができる。
特に、本実施形態のように、時計用文字板１を平面視した際に隣り合うマイクロレンズ１１１の中心を直線で結んだ場合に、当該直線により複数個の四角形が規則的に配置されたものとなるように、複数個のマイクロレンズ１１１が配置されている場合、マイクロレンズ１１１のレンズ面（図２中の上側の面）から装飾層１２の表面（図２中の上側の面）までの距離は、１００μｍ以上１０００μｍ以下であるのが好ましく、２５０μｍ以上６００μｍ以下であるのがより好ましい。これにより、時計用文字板１の外観をより立体感に溢れるものとすることができ、時計用文字板１の美的外観を特に優れたものとすることができる。
【００４２】
また、前述した実施形態では、装飾層１２は、互いに交差・接触することのない複数の線状の模様１２１からなるものであったが（図１参照）、本実施形態では、装飾層１２は、互いに交差・接触することのない複数の線状の模様１２１からなる第１の線群１２３と、互いに交差・接触することのない複数の線状の模様１２１からなる第２の線群１２４とを備えるものであり、第１の線群を構成する線状の模様と、第２の線群を構成する線状の模様とが交差するものである。これにより、時計用文字板１の立体感を特に優れたものとすることができる。また、各種成形方法や機械加工等では表現することが困難であった複雑な凹凸形状の外観（例えば、標高差のある地形を三次元的に表示する地形図のような外観）を好適に表現することができる。
上記のような条件を満足する場合、第１の線群を構成する１つの線状の模様と、第２の線群を構成する１つの線状の模様とが交差するものであってもよいが、図示の構成では、第１の線群を構成する複数の線状の模様と、第２の線群を構成する複数の線状の模様とが交差している。これにより、上述したような効果をより顕著に発揮することができる。
【００４３】
＜時計＞
次に、上述したような本発明の時計用文字板を備えた本発明の時計について説明する。
本発明の時計は、上述したような本発明の時計用文字板を有するものである。上述したように、本発明の時計用文字板は、立体感に溢れる外観を呈するものであり、特に、観察者の錯覚を利用するにより、時計用文字板の厚みを、現実の厚み以上のものとして、観察者に認識させることができるものであり、装飾性（美的外観）に優れたものである。また、装飾層１２等の材料の選択等により、上記のような優れた外観を確保しつつ、時計用文字板１全体としての光透過性を優れたものとすることができる。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００４４】
図４は、本発明の時計（腕時計）の好適な実施形態を示す断面図である。
図４に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、マイクロレンズ層１１が、ガラス板（カバーガラス）８５側を向くように配置されている。
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
【００４５】
図４中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００４６】
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００４７】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００４８】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００４９】
上記のような携帯時計（腕時計）は、各種時計の中でも特に、薄型化が求められるものであるため、時計用文字板の薄型化と優れた美的外観との両立を図ることができ、本発明をより好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００５０】
以上、本発明の好適な実施形態について説明したが、本発明は上記のようなものに限定されるものではない。
例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。また、マイクロレンズ層および／または装飾層の表面には、少なくとも１つの層が設けられていてもよい。このような層は、例えば、時計用文字板の使用時等において除去されるものであってもよい。
【００５１】
また、前述した実施形態では、マイクロレンズ層には、同一のパターンでマイクロレンズが設けられている場合について代表的に説明したが、マイクロレンズ層は、マイクロレンズの配置パターンの異なる複数の領域を有するものであってもよい。また、隣り合うマイクロレンズのピッチ、配置等は連続的に変化するものであってもよい。
また、前述した実施形態では、時計用文字板を平面視した際に、時字が設けられている部分には、線状の模様および／またはマイクロレンズが設けられていない場合について中心的に説明したが時計用文字板を平面視した際に、時字が設けられている部分に、線状の模様およびマイクロレンズが設けられていてもよい。
【００５２】
また、前述した実施形態では、マイクロレンズ層が、マイクロレンズとして凸レンズを備えるものである場合について代表的に説明したが、マイクロレンズは、装飾層の設けられた面側で焦点を結ぶものであればよく、凹レンズであってもよい。
また、前述した実施形態では、マイクロレンズを備えるマイクロレンズ層と、繰り返し模様を備える装飾層とが、密着した構成である場合について代表的に説明したが、マイクロレンズ層と装飾層とは、密着していなくてもよい。例えば、時計用文字板は、マイクロレンズ基板と、装飾層が設けられた基板とを備え、これらが所定距離だけ離間したものであってもよい。
【符号の説明】
【００５３】
１…時計用文字板  １１…マイクロレンズ層（マイクロレンズ基板）  １１１…マイクロレンズ  １２…装飾層  １２１…線状の模様（線状模様）  １２３…第１の線群  １２４…第２の線群  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  ９４…太陽電池  １００…腕時計（携帯時計）  ＰＭＬ…ピッチ  ＰＲ…ピッチ  Ｐ…焦点
【図１】
2013061191.tif 000003
【図２】
2013061191.tif 000004
【図３】
2013061191.tif 000005
【図４】
2013061191.tif 000006